(57)【特許請求の範囲】
【請求項１】
グループ別に組合せ可能とした複数の金型を備え、当該複数の金型を単一金型又は互いに組合せた複合金型として使用できる折曲加工機械（３）に適用される装置において、
前記複合金型に対応した形状情報を含む金型形状に関する情報を入力する操作を行える金型形状入力手段（４Ａ）と、
前記金型形状入力手段（４Ａ）から前記複合金型に対応した形状情報が出されたとき、当該形状情報を基に前記複合金型が得られる金型の組合せに関する組合せ情報を出力する金型組合せ指令手段（１Ａ）と、
前記グループ別に組合せ可能とした複数の金型のそれぞれを表わす単一金型の金型座標を予め登録しておく第１の金型図形登録手段（７）と、
前記金型組合せ指令手段（１Ａ）からの前記組合せ情報と前記第１の金型図形登録手段（７）に登録された前記単一金型の金型座標とを基に前記複数の金型を互いに適宜組合せた場合に相当する複合金型の金型座標を得る座標合成手段（１Ｂ）と、
前記座標合成手段（１Ｂ）により得られた複合金型の金型座標を登録する第２の金型図形登録手段（８）と、
前記第２の金型図形登録手段（８）に登録された複合金型の金型座標を適宜表示する画像表示手段（５）と、
を有することを特徴とする折曲加工機械における金型形状の表示装置。
【請求項２】
前記画像表示手段（５）は、前記第２の金型図形登録手段（８）に登録された複合金型の金型座標と共に前記第１の金型図形登録手段（７）に登録された単一金型の金型座標を適宜に画像表示することを特徴とする請求項１記載の折曲加工機械における金型形状の表示装置。
【請求項３】
前記画像表示手段（５）は、前記第２の金型座標登録手段（８）に登録された前記複合金型の金型座標を前記グループ別に対比させて同時表示することを特徴とする請求項１記載の折曲加工機械における金型形状の表示装置。
【請求項４】
前記第２の金型図形登録手段（８）に登録された前記複合金型の金型座標に対応させて前記複数の単一金型を互いに適宜組合せた複合金型を得る金型組合せ手段（２Ａ）を、有することを特徴とする請求項１記載の折曲加工機械における金型形状の表示装置。
【請求項５】
前記第２の金型図形登録手段（８）に登録された前記複合金型の金型座標と、板材形状入力手段（４Ｂ）から与えられた板材形状の座標とを基に、複合金型と板材との干渉度をチェックする干渉度チェック手段（１Ｃ）を、有することを特徴とする請求項１記載の折曲加工機械における金型形状の表示装置。
【発明の詳細な説明】
【０００１】
【産業上の利用分野】
本発明は、板材を曲げ加工するプレスブレーキの如きの折曲加工機械における金型形状の表示方法及び装置に関する。
【０００２】
【従来の技術】
近年、プレスブレーキには、ＡＴＣ（ａｕｔｏｍａｔｉｃ  ｔｏｏｌ  ｃｈａｎｇｅｒ）装置が適用されるようになり、現工程で使用した金型の先端に次工程で使用する金型を接合させる自動工具切換えを可能にしている。例えば、第１，第２のパンチと第１，第２のダイとを備え、現工程で第１のパンチと第１のダイとを使用して板材を折り曲げ加工し、次工程で第１のパンチに第２のパンチを接合した複合パンチと、第１のダイに第２のダイを接合した複合ダイとを用いて板材を折り曲げ加工する。
【０００３】
【発明が解決しようとする課題】
しかしながら、従来のプレスブレーキの場合においては、機械の動きを数値制御するＮＣ装置上で板材とパンチとの干渉チェックを行う時、使用中の第１のパンチのみしかＮＣ装置の表示画面に表示することができず、次工程で第１のパンチと第２のパンチとを接合させた複合パンチを用いる場合に、その複合パンチを表示画面上に表示することができないため、次工程において作業者はパンチと板材との干渉チェックを行うことができなかった。また、上記複合パンチと上記複合ダイとを表示画面上に表示することができないため、その干渉チェックを行うことができなかった。
【０００４】
本発明は、上記した事情に着目してなされたものであり、その目的とするところは、グループ別に組合せ可能とした複数の金型を互いに組合せるために接合して複合金型として用いる場合に、その複合金型を表示画面上に表示して干渉チェックを行えるようにした折曲げ加工機械における金型形状の表示方法及び装置を提供することにある。
【０００５】
【課題を解決するための手段】
上記目的を達成するため、請求項１による発明の金型形状の表示装置は、グループ別に組合せ可能とした複数の金型を備え、当該複数の金型を単一金型又は互いに組合せた複合金型として使用できる折曲加工機械に適用される装置において、前記複合金型に対応した形状情報を含む金型形状に関する情報を入力する操作を行える金型形状入力手段と、前記金型形状入力手段から前記複合金型に対応した形状情報が出されたとき、当該形状情報を基に前記複合金型が得られる金型の組合せに関する組合せ情報を出力する金型組合せ指令手段と、前記グループ別に組合せ可能とした複数の金型のそれぞれを表わす単一金型の金型座標を予め登録しておく第１の金型図形登録手段と、前記金型組合せ指令手段からの前記組合せ情報と前記第１の金型図形登録手段に登録された前記単一金型の金型座標とを基に前記複数の金型を互いに適宜組合せた場合に相当する複合金型の金型座標を得る座標合成手段と、前記座標合成手段より得られた複合金型の金型座標を登録する第２の金型図形登録手段と、前記第２金型図形登録手段に登録された複合金型の座標を適宜表示する画像表示手段と、を有することを特徴とする。
【０００８】
請求項２による発明は、請求項１による発明において、前記画像表示手段は、前記第２の金型図形登録手段に登録された複合金型の金型座標と共に前記第１の金型図形登録された単一金型の金型座標を適宜に画像表示することを特徴とする。
【０００９】
請求項３による発明は、請求項１による発明において、前記第２の金型座標登録手段に登録された前記複合金型の金型座標を前記グループ別に対比させて同時表示することを特徴とする。
【００１０】
請求項４による発明は、請求項１による発明において、前記第２の金型図形登録手段に登録された前記複合金型の金型座標に対応させて前記複数の単一金型を互いに適宜組合せた複合金型を得る金型組合せ手段を、有することを特徴とする。
【００１１】
請求項５による発明は、請求項１による発明において、前記第２の金型図形登録手段に登録された前記複合金型の金型座標と、板材形状入力手段から与えられた板材形状の座標とを基に、複合金型と板材との干渉度をチェックする干渉度チェック手段とを有することを特徴とする。
【００１２】
【作用】
請求項１の発明による金型形状の表示装置は、グループ別に組合せ可能とした複数の金型を備え、当該複数の金型を単一金型又は互いに組合せた複合金型として使用できる折曲加工機械に適用される。そして、金型形状入力手段から複合金型に対応された形状情報が出されたとき、金型組合せ指令手段からはその形状情報を基に複合金型が得られる金型の組合せに関する組合せ情報を出力する一方、第１の金型図形登録手段にはグループ別に組合せ可能とした複数の金型のそれぞれを表わす単一金型の金型座標を予め登録している。
【００１５】
このような金型組合せ指令手段からの組合せ情報と第１の金型図形登録手段に登録された単一金型の金型座標とを基に、座標合成手段において複数の金型を互いに適宜組合せた場合に相当する複合金型の金型座標が得られる。こうして座標合成手段により得られた複合金型の金型座標は第２の金型図形登録手段に登録後、画像表示手段によって適宜表示する。
【００１６】
請求項２の発明では、請求項１の発明の装置において、第２の金型図形登録手段に登録された複合金型の金型座標と共に第１の金型図形登録手段に登録された単一金型の金型座標を適宜に画像表示することが画像表示手段によりなされる。
【００１７】
請求項３の発明では、請求項１の発明の装置において、第２の金型図形登録手段に登録された複合金型の金型座標をグループ別に対比させて同時表示することが画像表示手段によりなされる。
【００１８】
請求項４の発明では、請求項１の発明の装置における第２の金型図形登録手段に登録された複合金型の金型座標に対応させて前記複数の単一金型を互いに適宜組合せた複合金型を金型組合せ手段により得る。
【００１９】
請求項５の発明では、請求項１の発明の装置における第２の金型図形登録手段に登録された複合金型の金型座標と、板材形状入力手段から与えられた板材形状の座標とを基に、干渉度チェック手段により複合金型と板材との干渉度のチェックを行う。
【００２０】
【実施例】
図１は、本発明が適用され折曲加工機械における金型形状の表示装置の一実施例の構成を示すブロック図である。
【００２１】
この一実施例の金型形状の表示装置は、システム全体の制御中枢としてＣＰＵ１を備えており、このＣＰＵ１の制御下で機械コントローラ２によりＡＴＣ付プレスブレーキ３が動作される。また、操作パネル４と、画像表示装置５と、ＣＲＴ６と、第１メモリ７と、第２メモリ８とを備えている。
【００２２】
そして、ＣＰＵ１は、金型組合せ指令手段１Ａと、座標合成手段１Ｂと、干渉度チェック手段１Ｃとしての機能動作がなされる。機械コントローラ２は、金型組合せ手段２Ａとしての機能動作がなされる。操作パネル４は、金型形状入力手段４Ａ及び板材形状入力手段４Ｂとしての機能動作がなされる。また、第１メモリ７は、第１の金型図形登録手段として設けられ、第２メモリは、第２の金型図形登録手段として設けられている。
【００２３】
ＣＰＵ１において、金型組合せ指令手段１Ａは、操作パネル４の金型形状入力手段４Ａから複合金型に対応した形状情報が出されたとき、この形状情報を基に複合金型が得られる金型の組合せに関する組合せ情報を出力する。座標合成手段１Ｂは、金型組合せ指令手段１Ａからの組合せ情報と第１メモリ７に登録された単一金型の金型座標とを基に、複数の金型を互いに適宜組合せた場合に相当する複合金型の金型座標を得る。干渉度チェック手段１Ｃは、第２メモリ８に登録された複合金型の金型座標と、操作パネル４の板材形状入力手段４Ｂから与えられた板材形状の座標とを基に複合金型と板材との干渉度をチェックする。
【００２４】
ここで、第１メモリ７は、例えばパンチ，ダイの如くのグループ別に組合せ可能とした複数の金型のそれぞれを表わす単一金型の金型座標を予め登録しておくもので、操作パネル４の金型形状入力手段４Ａの操作でその登録をなし得る。第２メモリ８は座標合成手段１Ｂより得られた複合金型の金型座標を登録する。
【００２５】
このようなＣＰＵ１と、第１，第２メモリ７，８との間でのデータのやりとりに応じて画像表示装置５は、第２メモリ８に登録された金型座標をＣＲＴ６上に適宜表示することができる。例えば、ＡＴＣ付プレスブレーキ３における単一金型が図２に示す如くパンチＰ１，Ｐ２，Ｐ３であり、このパンチＰ１，Ｐ２，Ｐ３を各々独立させて第１メモリ７に予め登録しておいた後に、金型形状入力手段４ＡからパンチＰ１とパンチＰ２とを組合せた複合金型に対応した形状情報が出されたとする。この時、金型組合せ指令手段１Ａはその形状情報を基にパンチＰ１，Ｐ２の複合金型が得られる金型の組合せに関する組合せ情報を出力するので、座標合成手段１Ｂにおいて、Ｐ１，Ｐ２の２つの金型を合成してパンチ先端座標、つまりパンチＰ１，Ｐ２の合成図形Ｔ１（図２参照）を求める処理を実行し、この合成図形（金型座標）Ｔ１を第２メモリ８に登録する。従って、第２メモリ８に登録された合成図形Ｔ１を画像表示装置５によりＣＲＴ６上に適宜表示することができる。また、画像表示装置５は、第２メモリ８に登録された複合金型の金型座標と共に第１メモリ７に登録された単一金型の金型座標を適宜表示することができる。例えば、図２におけるパンチＰ１，Ｐ２，Ｐ３を単一金型又は互いに組合せた複合金型として使用できる条件において、図３の如く、パンチＰ１，Ｐ２の組合せをパンチＴＰ１，パンチＰ２のみをパンチＴＰ２、パンチＰ２，Ｐ３の組合せをパンチＴＰ３として第２メモリ８に登録し、図３のパンチＴＰ１，ＴＰ２，ＴＰ３をＣＲＴ６上に適宜表示することができる。更に、画像表示装置５は、メモリ８に登録された複合金型をグループ別に対比させてＣＲＴ６上に同時表示することができる。例えば図４の如く、組合すことの可能なパンチＰの組合せと各々の組合せに対するダイＤの組合せの全てをＣＲＴ６上に表示することができる。
【００２６】
前述の如く、本実施例は特に複合金型をＣＲＴ６上に表示することが基本的に行えるものであるが、第２メモリ８に登録された複合金型の金型座標と、操作パネル４の板材形状入力手段４Ｂから与えられた板材形状の座標とを共に干渉度チェック手段１Ｃにおいて複合金型と板材との干渉度をチェックし、このチェックした結果を図形ないし数値情報として画像表示装置５によりＣＲＴ６上に表示することができる。
【００２７】
なお、第１メモリ７と第２メモリ８とは共通のメモリとしてもよいのは勿論のことである。また、汎用のＮＣ装置をＡＴＣ付プレスブレーキと組合せたシステム構成であっても、複合金型が表わす金型座標を図形別にメモリに登録し、この複合金型の金型座標を適宜表示するようにしても本発明が構築されるのはいうまでもない。
【００２８】
【発明の効果】
以上説明したように本発明によれば、複数の金型を互いに組合せた複合金型の金型座標を登録後、これを図形表示するので、複合金型と板材（ワーク）との干渉チェック、種類の異なる複合金型相互の状態チェックを精度良く簡単に行える。
【図面の簡単な説明】
【図１】本発明が適用された折曲加工機械における金型形状の表示装置の一実施例の構成を示すブロック図である。
【図２】パンチを組合せて複合パンチとして使用する場合の複合パンチの表示例を説明するための図である。
【図３】複合パンチと単一パンチとを共にメモリに登録して表示する場合のパンチの登録例を説明するための図である。
【図４】複合パンチと複合ダイとの対応付けて同時表示する例を説明するための図である。
【符号の説明】
１  ＣＰＵ
１Ａ  金型組合せ指令手段
１Ｂ  座標合成手段
１Ｃ  干渉度チェック手段
２  機械コントローラ
２Ａ  金型組合せ手段
３  ＡＣＴ付プレスブレーキ
４  操作パネル
４Ａ  金型形状入力手段
４Ｂ  板材形状入力手段
５  画像表示装置
６  ＣＲＴ
７  第１メモリ（第１の金型図形登録手段）
８  第２メモリ（第２の金型図形登録手段）
【図１】
0003683614.tif 000002
【図２】
0003683614.tif 000003
【図３】
0003683614.tif 000004
【図４】
0003683614.tif 000005